【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】
複数の画素により構成された表示部と、該表示部の制御を行う制御部と、該画素に表示信号を入力するために該表示部内に配置された信号線とを有する画像表示装置において、
前記画素は、少なくとも前記信号線を介して入力された表示信号を電荷の形で所定の時間以上記憶する１個以上のスイッチと第一の容量を有し、
該第一の容量に記憶されていた表示信号を、前記制御部の命令に応じて前記信号線を介さずに前記第一の容量に再書込みする手段を有し、前記各画素には、ｎビットの表示信号を電荷の形で所定の時間以上記憶するための１以上の整数であるｎ＋１個以上の複数の容量を有することを特徴とする画像表示装置。
【請求項２】
前記画素内に電荷の形で記憶される表示信号は１ビットであることを特徴とする請求項１に記載の画像表示装置。
【請求項３】
前記第一の容量の一端は、前記画素内に設けられた第一の電界効果トランジスタのゲートに接続されていることを特徴とする請求項１に記載の画像表示装置。
【請求項４】
前記第一の電界効果トランジスタは、ドレイン接地接続されていることを特徴とする請求項３に記載の画像表示装置。
【請求項５】
前記第一の容量の一端は、前記画素内に設けられた第二の電界効果トランジスタのゲートに接続されており、
該第二の電界効果トランジスタの一端は、液晶で構成された容量に接続されていることを特徴とする請求項３に記載の画像表示装置。
【請求項６】
前記第一の容量は、液晶で構成された容量を含むことを特徴とする請求項１に記載の画像表示装置。
【請求項７】
前記第一の容量に再書込みされる表示信号が、再書込みの度に２つの電圧値を交互にとるようにするための手段を前記画素内に有することを特徴とする請求項６に記載の画像表示装置。
【請求項８】
前記第一の容量は、前記画素内に設けられた第一のスイッチを介して前記画素内に設けられたインバータ回路の出力に接続されていることを特徴とする請求項７に記載の画像表示装置。
【請求項９】
前記第一の容量は、前記画素内に設けられた第二のスイッチを介して前記画素内に設けられたインバータ回路の入力に接続されていることを特徴とする請求項７に記載の画像表示装置。
【請求項１０】
前記インバータ回路は、ＣＭＯＳ(Complementary Metal Oxide 
Semiconductor)回路構成であることを特徴とする請求項８又は請求項９に記載の画像表示装置。
【請求項１１】
前記複数の容量の内に含まれる前記第一の容量は、液晶で構成された容量を含むことを特徴とする請求項１に記載の画像表示装置。
【請求項１２】
前記第一の容量に対してｎビットの表示信号を電荷の形で順次入力する手段を前記画素内に有することを特徴とする請求項１１に記載の画像表示装置。
【請求項１３】
前記第一の容量に対して電荷の形で順次入力されるｎビットの表示信号を、
（ｎ＋１）番目には１番目の表示信号の反転信号であるようにするための手段を前記画素内に有することを特徴とする請求項１２に記載の画像表示装置。
【請求項１４】
前記画素内には前記複数の容量と同数の複数のアンプ回路を有することを特徴とする請求項１に記載の画像表示装置。
【請求項１５】
前記複数のアンプ回路はインバータ回路であることを特徴とする請求項１４に記載の画像表示装置。
【請求項１６】
前記複数のインバータ回路はＣＭＯＳ回路構成であることを特徴とする請求項１５に記載の画像表示装置。
【請求項１７】
前記各画素には、電荷転送デバイス（ＣＴＤ，Charge Transfer Device）を有することを特徴とする請求項１に記載の画像表示装置。
【請求項１８】
前記電荷転送デバイスは、ＢＢＤ（Bucket Brigade Device）であることを請求項１７に記載の画像表示装置。
【請求項１９】
前記電荷転送デバイスは複数の転送ゲートを有し、
前記制御部は該複数の転送ゲートをそれぞれ独立に駆動する手段を有することを特徴とする請求項１８に記載の画像表示装置。
【請求項２０】
前記電荷転送デバイスは複数の転送ゲートを有し、
前記制御部は該複数の転送ゲートを２相のクロックで駆動する手段を有することを特徴とする請求項１８に記載の画像表示装置。
【請求項２１】
前記各画素における前記複数の転送ゲートは、複数の画素間で共通に接続されていることを特徴とする請求項２０記載の画像表示装置。
【請求項２２】
前記各画素における前記複数の転送ゲートは、表示部における実質的に全ての画素間で共通に接続されていることを特徴とする請求項２１に記載の画像表示装置。
【請求項２３】
前記第一の容量は液晶で構成された容量を含むことを特徴とする請求項１７に記載の画像表示装置。
【請求項２４】
前記第一の容量に対して、ｎビットの表示信号を電荷の形で順次入力する手段を前記画素内に有することを特徴とする請求項２３に記載の画像表示装置。
【請求項２５】
前記第一の容量に対して電荷の形で順次入力されるｎビットの表示信号を（ｎ＋１）番目には１番目の表示信号の反転信号であるようにするための手段を上記画素内に有することを特徴とする請求項２４に記載の画像表示装置。
【請求項２６】
前記第一の容量は、前記電荷転送デバイスに入力していることを特徴とする請求項２３に記載の画像表示装置。
【請求項２７】
前記電荷転送デバイスの出力にはアンプ回路を有することを特徴とする請求項１７に記載の画像表示装置。
【請求項２８】
前記アンプ回路はインバータ回路であることを特徴とする請求項２７に記載の画像表示装置。
【請求項２９】
前記インバータ回路は、ＣＭＯＳ回路構成であることを特徴とする請求項２８に記載の画像表示装置。
【請求項３０】
前記第一の容量の一端は、前記画素内に設けられた発光素子にその電流端子の一端が接続された第三の電界効果トランジスタのゲートに接続されていることを特徴とする請求項１に記載の画像表示装置。
【請求項３１】
前記発光素子は、有機発光ダイオード（ＯＬＥＤ，Organic Light Emitting 
Diode)であることを特徴とする請求項３０に記載の画像表示装置。
【請求項３２】
複数の画素により構成された表示部と、外部から取り込まれた表示信号を記憶し更にそのデータ処理を行う表示信号処理部と、該表示部と該表示信号処理部の制御を行う制御部と、該画素に表示信号を入力するために該表示部内に配置された信号線を有する画像表示装置において、
前記画素は、少なくとも前記信号線を介して入力された表示信号を電荷の形で所定の時間以上記憶する１個以上のスイッチと第一の容量を有し、
該第一の容量に記憶されていた表示信号を前記制御部の命令に応じて前記信号線を介さずに前記第一の容量に再書込みする手段を有することを特徴とする画像表示装置。
【請求項３３】
前記画素は外光を利用した反射型の画像表示手段を有することを特徴とする請求項３３に記載の画像表示装置。
【請求項３４】
前記画素は、
外光を利用した反射型の画像表示手段と、画像表示装置内に設けられた照明手段を用いた透過型ないし反射型の画像表示手段を有し、
前記制御部によって両者の選択が可能であることを特徴とする請求項３３に記載の画像表示装置。
【請求項３５】
前記スイッチは、ＴＦＴ（Thin−Film−Transistor）で構成されていることを特徴とする請求項１に記載の画像表示装置。
【請求項３６】
前記ＴＦＴのチャネル膜は、多結晶Si TFT（poly−Si TFT）で形成されていることを特徴とする請求項３５に記載の画像表示装置。
【請求項３７】
前記画素には、多結晶Ｓｉをチャネル膜とした電荷転送デバイスが設けられていることを特徴とする請求項３６に記載の画像表示装置。
【請求項３８】
前記電荷転送デバイスは、ＢＢＤ(Bucket Brigade Device)であることを特徴とする請求項３７に記載の画像表示装置。
【請求項３９】
前記ＴＦＴと前記ＢＢＤのチャネル膜は同一プロセスで形成されたものであることを特徴とする請求項３８に記載の画像表示装置。
【請求項４０】
前記ＴＦＴと前記ＢＢＤのゲート電極は同一プロセスで形成されたものであることを特徴とする請求項３８に記載の画像表示装置。
【請求項４１】
複数の画素により構成された表示部と、該表示部の制御を行う制御部と、該画素に表示信号を入力するために該表示部内に配置された信号線を有し、前記画素が、少なくとも前記信号線を介して入力された表示信号を電荷の形で所定の時間以上記憶する１個以上のスイッチと第一の容量を有している画像表示装置の駆動方法であって、
前記第一の容量に記憶されていた表示信号を、前記制御部の命令に応じて該信号線を介さずに前記第一の容量に再書込みを行い、前記各画素には複数の容量と１個以上のアンプ回路を有し、前記複数の容量に記憶されている複数の表示信号は順番に該アンプ回路に入力され、前記第一の容量は表示部共通電極との間に液晶を挟んで構成された容量を含んでおり、
前記アンプ回路の出力を、前記スイッチを介して所定の間隔で上記第一の容量に入力させることを特徴とする画像表示装置の駆動方法。
【請求項４２】
前記第一の容量は表示部共通電極との間に液晶を挟んで構成された容量を含んでおり、
前記第一の容量への表示信号の再書込みは毎回、前回のデータに対する反転データを書込み、
この反転データ書込みに実質的に同期して共通電極も反転駆動させることを特徴とする請求項４１に記載の画像表示装置の駆動方法。
【請求項４３】
前記アンプ回路が上記スイッチを介して、前記第一の容量に表示信号を入力する際の時間間隔は、各表示信号毎に実質的に２倍ずつ異なっていることを特徴とする請求項４２に記載の画像表示装置の駆動方法。
【請求項４４】
前記アンプ回路が上記スイッチを介して、前記第一の容量に表示信号を一通り入力することと実質的に同期して、前記共通電極も反転駆動させることを特徴とする請求項４２に記載の画像表示装置の駆動方法。
【請求項４５】
前記信号線を介した前記複数の容量への複数の表示信号の書込みは、書込みがなされる複数の画素全体に対して、表示信号各１ビットずつなされることを特徴とする請求項４１に記載の画像表示装置の駆動方法。
【請求項４６】
前記画素における前記第一の容量に対する再書込みを停止し、その代りに前記第一の容量に対して信号線を介して、アナログないし多値電圧を有する表示信号の書込みを行うことを特徴とする請求項３９に記載の画像表示装置の駆動方法。
【請求項４７】
複数の画素により構成された表示部と、外部から取り込まれた表示信号を記憶し、更にそのデータ処理を行う表示信号処理部と、該表示部と該表示信号処理部の制御を行う制御部と、該画素に表示信号を入力するために該表示部内に配置された信号線を有し、前記画素は、少なくとも前記信号線を介して入力された表示信号を電荷の形で所定の時間以上記憶するための１個以上のスイッチと第一の容量を有した画像表示装置の駆動方法であって、
前記第一の容量に記憶されていた表示信号を、前記制御部の命令に応じて前記信号線を介さずに、前記第一の容量に再書込みする第一のモードと、
前記第一の容量に対する前記再書込みを停止し、その代りに該第一の容量に対して該信号線を介して、アナログないし多値電圧を有する表示信号を書込む第二のモードとを有し、
前記第一のモードにおける表示信号処理部の消費電力を、前記第二のモードにおける表示信号処理部の消費電力よりも低減させることを特徴とする画像表示装置の駆動方法。